(57)【要約】【課題】ミミズの糞、もしくは養殖ミミズの糞を含む廃棄物を、家庭用排水あるいは工業用排水などの汚染水の浄化剤として有効活用できるようにする。【解決手段】ミミズの糞が酵素として機能して形成されたセラミックを浄化剤として利用する。その製法としては、ミミズが生育された土壌を、燃焼器具によって約３０００℃の熱で加熱して燃焼滓の固体を得る工程と、この固体を粉砕装置で破壊して粉末状にする工程と、を含む。また、粉末状にした土壌をさらに１２５０℃で、１２時間加熱して固体を得る工程を含む。【選択図】図１
2015100760.tif 000002
【特許請求の範囲】
【請求項１】
ミミズの糞が酵素として機能して形成されたセラミックを浄化剤として利用したことを特徴とする浄化剤。
【請求項２】
上記ミミズの糞は、養殖ミミズが生育された土壌の燃焼滓に含まれる、請求項１記載の浄化剤。
【請求項３】
ミミズが生育された土壌を、燃焼器具によって約３０００℃の熱で加熱して燃焼滓の固体を得る工程と、この固体を粉砕装置で破壊して粉末状にする工程と、を含むことを特徴とする浄化剤の製造方法。
【請求項４】
上記粉末状にした土壌をさらに１２５０℃で、１２時間加熱して固体を得る工程を含む、請求項３記載の浄化剤の製造方法。
【発明の詳細な説明】
【技術分野】
【０００１】
本発明は、主として養殖のミミズから排泄される糞を利用した浄化剤およびその製造方法に関する。
【背景技術】
【０００２】
従来、養殖ミミズを生育する土壌は、茶葉とさつまいも等からなるが、生育して養殖ミミズを取り除いた後の土壌は、養殖ミミズの糞などを含む廃棄物である。特に、ミミズの糞は、粘土とシルトが土の乾燥等によって凝集し且つ有機物の分解によって形成された団粒構造となっており、周辺土壌に比べて窒素や炭素が多く、作物に吸収されやすい形のカルシウム・マグネシウム・カリ・リン酸に加えて、アミノ酸や様々な酵素や植物ホルモンなどが含まれている。
【０００３】
また、上記した茶葉とさつまいも等による土壌を使用した養殖ミミズの生育とは逆の活用方法としては、特許文献１に開示されているように、ミミズの糞を効果的に施用することによって、特に一番茶を早期にかつ多量に収穫し得る茶の育成方法なる技術が存在する。これは秋整枝前または萌芽前にミミズの糞を１０アール当たり１００〜２００ｋｇ施用し、茶の栽培面積が広い場合には、ペレット状または粒状にして施用されるものとしている。
【０００４】
その他、ミミズの糞を利用した微生物資材や土壌改良材なども多く開発されている。例えば、ミミズの糞を利用した微生物資材としては、特許文献２に開示されているように、ミミズの糞に含まれる土壌微生物の抽出液に、紅色非硫黄細菌などの光合成細菌や、乳酸菌などの微生物微好気性菌を含む絶対好気性菌を添加することで、土壌への施用後、短期間で土壌の団粒化や施肥効果を発揮することができるものとされている。
【０００５】
また、ミミズの糞を利用した土壌改良材としては、特許文献３に開示されているように、ミミズの糞の粒に光栄養細菌を配合するか、光栄養細菌を吸蔵させたゼオライトなどを配合することによりミミズの糞の粒中に生息する放線菌などの有効微生物群を高密度に繁殖させ、これによって、植物病原性微生物の駆除や過剰肥料、残留農薬を駆除する効果を発揮させるものとされている。
【先行技術文献】
【特許文献】
【０００６】
【特許文献１】特開２００５−１２６４６４号公報
【特許文献２】特開２００７−１７６７５９号公報
【特許文献３】特開２０００−６３８３２号公報
【発明の概要】
【発明が解決しようとする課題】
【０００７】
しかしながら、従来においては、ミミズの糞などを含む廃棄物を、家庭用排水あるいは工業用排水などの汚染水の浄化剤として有効活用する技術は殆ど開発されていないのが実情である。
【０００８】
特に、上記汚染水に対する浄化力は、溶液中に共存する酸化体と還元体の間の平衡状態によって定まるエネルギーレベル（電位）を意味する酸化還元電位（Ｏｘｉｄａｔｉｏｎ−Ｒｅｄｕｃｔｉｏｎ  Ｐｏｔｅｎｔｉａｌ：以下にＯＲＰとの略称する）が低いことが必要条件となっている。一般に水道水は酸化力を示し、水質が汚染されているほどプラスの高い数値を示す。つまり、プラスの数値が大きいほど酸化されている水であり、マイナスの数値が大きいほど還元力が強い水である。すなわち、酸性とアルカリ性の尺度がｐＨであるのに対し、酸化力と還元力の尺度がＯＲＰである。ＯＲＰは水素イオンを含む全ての元素や化合物の酸化力と還元力を測る指標とされ、単位は電圧値の｛ｍＶ｝で計られる。ここで重要なことは、ＯＲＰは酸化体と還元体の活量の比で決まることである。因みに、酸素は＋８５０ｍＶ、水素は−４２０ｍＶである。
【０００９】
ただ、従来においては、ミミズの糞などを含む廃棄物のＯＲＰに関する詳細な計測および分析による考察は十分に成されておらず、この点が浄化剤として有効活用することの重要性が看過されて現状に至っていた。
【００１０】
そこで、本発明は叙上のような従来存した諸事情に鑑み創出されたもので、ミミズの糞、もしくは養殖ミミズの糞を含む廃棄物を、家庭用排水あるいは工業用排水などの汚染水の浄化剤として有効活用することのできる浄化剤およびその製造方法を提供することを目的とする。
【課題を解決するための手段】
【００１１】
上述した課題を解決するために、本発明に係る浄化剤にあっては、ミミズの糞が酵素として機能して形成されたセラミックを浄化剤として利用したことを特徴とする。
【００１２】
上記ミミズの糞は、養殖ミミズが生育された土壌の燃焼滓に含まれる。
【００１３】
また、本発明に係る浄化剤の製造方法にあっては、ミミズが生育された土壌を、燃焼器具によって約３０００℃の熱で加熱して燃焼滓の固体を得る工程と、この固体を粉砕装置で破壊して粉末状にする工程と、を含むことを特徴とする。
【００１４】
上記粉末状にした土壌をさらに１２５０℃で、１２時間加熱して固体を得る工程を含む。
【発明の効果】
【００１５】
本発明によれば、ミミズの糞などを含む廃棄物を、家庭用排水あるいは工業用排水などの汚染水の浄化剤として有効活用することができる。
【図面の簡単な説明】
【００１６】
【図１】本発明を実施するための一形態における浄化剤のＳＱＸ分析結果を表で示す図である。
【発明を実施するための形態】
【００１７】
以下、本発明の実施の一形態を詳細に説明する。
本発明に係るミミズの糞を利用した浄化剤としては、例えば茶葉とさつまいも等のミミズの餌からなる土壌によって養殖ミミズが生育された土壌を活用している。すなわち、生育した養殖ミミズを取り除いた後の土壌は、養殖ミミズの糞などを含む廃棄物となり、この廃棄物中の養殖ミミズの糞自体には窒素や炭素が多く、作物に吸収されやすい形のカルシウム・マグネシウム・カリ・リン酸に加えて、アミノ酸や様々な酵素や植物ホルモンなどが含まれている。なお、団粒構造のミミズの糞のみを大量に採取できればこの糞自体を浄化剤として利用しても良い。
【００１８】
上記土壌を浄化剤に成形するには、例えばバーナー等の燃焼器具によって約３０００℃の熱で土壌を加熱する。このとき土壌の約９０％は燃焼し、約１０％の燃焼滓を凝縮することで小石程度の岩石の形に固体化する。
【００１９】
さらに、この固体を破壊して、例えば漢方薬を作る機械などで細かい灰状の粉末にする。粉砕の種類には、大きく分けて乾式粉砕（圧縮・剪断・衝撃・摩砕）と湿式粉砕（ボールミル粉砕等）とがあるが、要は原料に機械的エネルギーを加えて粉末状等に微細化していくことである。
【００２０】
具体的には、クロスジェットミル（気流微粉砕機）やハイスピードミル等で粉砕を行う。ハイスピードミルの場合において、粉砕後に少々粗く残る場合は、乾燥させてから再度粉砕することで微粉末にできる。また、クロスジェットミル（気流微粉砕機）の場合においては、原料は粉砕室の中に供給されて粉砕ノズルの位置よりも高いレベルで貯められてから、粉砕室周囲の粉砕ノズルから噴出させる。この噴射による高速ジェット気流は粉砕室の中央で交差するようになっている。そして、高速ジェット気流に巻き込まれ、また気流同士が交わることによって粒子は摩擦と衝突を繰返し微粉砕される。微粉砕された粒子は室内を上昇し上部のシャープカットセパレータに到達しここで微粉のみが分級ロータ内に吸込まれ捕集され、一方、粗粉は再度粉砕室の下方へ落下する。なお、これら実施形態における粉砕機の種類は本発明を何等限定するものではなく、その他の粉砕機であってもかまわない。
【００２１】
ＯＲＰ値が低いと一般的には、浄化力が高いと言われている。そこで、この粉末を、約２００ｍＬの水に溶かし、電位差計と白金電極および比較電極を用いたＯＲＰメーターで測定すると、１９８ｍＶであり、結果として、ＯＲＰ値の低い、すなわち強浄化力の浄化剤が生成されることがわかった。
【００２２】
因みに、水道水４００ｃｃの中に天照石（天降石）・マグニー石とマグニー石を比較すべき石をそれぞれ投入し、３分間攪拌した後のＯＲＰ値を測定すると、攪拌前では３４０ｍＶであったのに対し、攪拌後は２０９ｍＶであり、本土壌による浄化剤に比して高い数値である。
【００２３】
上記した粉末状にした土壌をさらに１２５０℃で、１２時間熱することで、上記燃焼滓に含まれるミミズの糞が酵素として機能して、固体である豆粒状のセラミック石が形成される。この豆粒状のセラミック石はＫＡＭＳＥＩＫＩと呼ぶ。その際の約２００ｍＬ水溶液でのＯＲＰ値は、２５６ｍＶであった。このように固形の浄化剤としても、一定の効果が発揮できるものと想定される。
【００２４】
次に、以上のように構成された形態についての分析結果について説明する。
本土壌の成分を分析するために、宮崎県工業技術センターにおいて、内殻電子の励起にＸ線を使用し，試料からの特性Ｘ線（蛍光Ｘ線）を測定する所謂蛍光Ｘ線分析装置（ＳＱＸ分析）で、成分組成の分析を行ったところ、図１に示すように、カリウム、シリコン、アルミニウム、鉄などから構成されることがわかった。
【００２５】
例えば、カルシウムは質量％単位で分析値が３５．２７４５（分析線Ｃａ−ＫＡでＸ線強度１０２５．７８４５）、シリコンは質量％単位で分析値が３０．４５３５（分析線Ｓｉ−ＫＡでＸ線強度５８５．００７７）、アルミニウムは質量％単位で分析値が１１．３７８３（分析線Ａｌ−ＫＡでＸ線強度２７０．３３３９）、鉄は質量％単位で分析値が７．７３４４（分析線Ｆｅ−ＫＡでＸ線強度２１０．４５６７）、リンは質量％単位で分析値が５．８９０２（分析線Ｐ−ＫＡでＸ線強度２０９．５０２３）、その他、マグネシウム、カリウム、チタン、ナトリウム、マンガン、バリウム、硫黄等々の分析結果が得られた。
【００２６】
以上説明したように、本実施形態においては、ミミズの糞が酵素として機能して形成されたセラミックを汚染水の浄化剤として利用することで、大きな浄化作用効果が得られる。
【図１】
2015100760.tif 000003